(57)【要約】【課題】映像表示装置において、外部機器から外部入力信号の入力が一瞬だけ途絶えても、所定の状態表示を表示せず、ユーザに不快感を覚えさせないようにする。【解決手段】テレビジョン放送受像機の制御部は、外部機器から入力されたＨＤＭＩ信号に基づき画像を表示させる外部入力表示部と、外部入力表示部による制御中にＨＤＭＩ信号が途絶えた場合に表示画面に無信号表示を表示させる状態表示部とを有している。状態表示部は、ＨＤＭＩ信号が途絶えてから（Ｓ１１：ＹＥＳ）、所定時間経過すると（Ｓ１２：ＹＥＳ）、信号チェックを行う（Ｓ１３）。そして、ＨＤＭＩ信号が入力されていなければ（Ｓ１４：ＮＯ）、無信号表示をＯＳＤ表示させる（Ｓ１５）。ＨＤＭＩ信号が入力され（Ｓ１４：ＹＥＳ）、外部入力表示部が認証処理に成功した時は（Ｓ２１：ＹＥＳ）、無信号表示が表示されず（Ｓ１１）、ユーザに不快感を覚えさせない。【選択図】図３
2008311768.tif 000002
【特許請求の範囲】
【請求項１】
表示画面と、
前記表示画面に画像を表示させる駆動部と、
ＨＤＭＩ（High-Definition Multimedia Interface）ケーブルを介して外部機器に接続可能な端子部と、
前記端子部に外部機器が接続され、その外部機器から外部入力信号が入力されたとき、その外部機器との間で認証処理を行った後、当該外部入力信号に基づいて前記駆動部を制御する外部入力表示手段と、前記外部入力表示手段による前記駆動部の制御中に、前記認証処理が行われているとき又は前記外部入力信号が入力されないとき、前記表示画面に所定の状態表示を表示させる状態表示手段とを有する制御部とを備えた映像表示装置であって、
前記状態表示手段は、前記制御部に前記外部入力信号が入力されている状態において、その外部入力信号の入力が途絶えた時、予め設定された所定時間が経過するまで、前記所定の状態表示を表示させない待機状態になることを特徴とする映像表示装置。
【請求項２】
前記状態表示手段は、前記待機状態となり前記所定時間が経過した時、前記制御部に前記外部入力信号が入力されていなければ、前記表示画面に前記所定の状態表示を表示させることを特徴とする請求項１記載の映像表示装置。
【請求項３】
前記状態表示手段は、前記待機状態となり前記所定時間が経過するまでに前記制御部に前記外部入力信号が入力されて前記認証処理が行われたとき、その認証処理が成功しなければ、前記表示画面に前記所定の状態表示を表示させることを特徴とする請求項２記載の映像表示装置。
【発明の詳細な説明】
【技術分野】
【０００１】
本発明は、ＨＤＭＩ（High-Definition Multimedia Interface）ケーブルを介して入力された外部入力信号に応じて画像を表示する機能を有する映像表示装置に関する。
【背景技術】
【０００２】
外部機器からＨＤＭＩ（High-Definition Multimedia Interface）ケーブルを介して入力された外部入力信号に応じて画像を表示する機能を有する映像表示装置としては、外部入力信号に応じて画像を表示させているときに、外部入力信号が何らかの理由で入力されなくなると、表示画面上にその旨を示す所定の状態表示を行うものがある。例えば、「Ｎｏ  Ｓｉｇｎａｌ」等の文字による状態表示等をＯＳＤ（On-Screen Display）表示として表示画面上の画像と共に表示させることにより、ユーザに、外部入力信号が途絶えており画像表示を行えない旨を知らせることができる。
【０００３】
ところで、このような映像表示装置には、例えば外部機器において外部信号出力を開始させる操作を行ったとき等、外部機器から入力される外部入力信号が、例えば１０分の１秒程度の長さだけ途絶えた後、すぐに再度入力される場合がある。このように外部入力信号の入力が一瞬途絶えても、外部入力信号が途絶えることにより画像が表示されない時間は比較的短いため、ユーザにとってはほとんど気にされない。しかしながら、従来、上記のように一瞬だけ外部入力信号の入力が途絶えたときにもＯＳＤ表示が行われることがあり、この場合、かえってユーザに煩わしさ等の不快感を覚えさせてしまうという問題があった。
【０００４】
ここで、特許文献１には、ＨＤＭＩコネクタを介して受信されたデジタル信号に含まれている表示関連情報を抽出し、ディスプレイの表示モードをその表示関連情報に応じて自動的に設定したり、ユーザの指示に伴い設定したりし、ユーザの好みも重視した映像再生を可能とした画像表示装置が示されている。また、特許文献２には、ユーザからＯＳＤ表示の要求を受けたとき、ＨＤＭＩ方式の映像信号を受信している場合に設定状況情報を含むＯＳＤ要求をＤＶＤ再生装置に送信し、ＤＶＤ再生装置が設定状況情報に基づいて生成したＯＳＤ信号に基づいて表示装置に表示を行うＡＶシステムが示されている。しかしながら、これらの特許文献１又は特許文献２には、上記問題点に対して有効な解決策は開示されていない。
【特許文献１】特開２００６‐１０８７５０号公報
【特許文献２】特開２００６‐１８７０２７号公報
【発明の開示】
【発明が解決しようとする課題】
【０００５】
本発明は、上記問題点を鑑みてなされたものであり、外部機器からＨＤＭＩケーブルを介して外部入力信号の入力が一瞬だけ途絶えても、所定の状態表示を表示することなく、ユーザに不快感を覚えさせない映像表示装置を提供することを目的とする。
【課題を解決するための手段】
【０００６】
上記目的を達成するため、請求項１の発明は、表示画面と、前記表示画面に画像を表示させる駆動部と、ＨＤＭＩ（High-Definition Multimedia Interface）ケーブルを介して外部機器に接続可能な端子部と、前記端子部に外部機器が接続され、その外部機器から外部入力信号が入力されたとき、その外部機器との間で認証処理を行った後、当該外部入力信号に基づいて前記駆動部を制御する外部入力表示手段と、前記外部入力表示手段による前記駆動部の制御中に、前記認証処理が行われているとき又は前記外部入力信号が入力されないとき、前記表示画面に所定の状態表示を表示させる状態表示手段とを有する制御部とを備えた映像表示装置であって、前記状態表示手段は、前記制御部に前記外部入力信号が入力されている状態において、その外部入力信号の入力が途絶えた時、予め設定された所定時間が経過するまで、前記所定の状態表示を表示させない待機状態になるものである。
【０００７】
請求項２の発明は、請求項１の発明において、前記状態表示手段は、前記待機状態となり前記所定時間が経過した時、前記制御部に前記外部入力信号が入力されていなければ、前記表示画面に前記所定の状態表示を表示させるものである。
【０００８】
請求項３の発明は、請求項２の発明において、前記状態表示手段は、前記待機状態となり前記所定時間が経過するまでに前記制御部に前記外部入力信号が入力されて前記認証処理が行われたとき、その認証処理が成功しなければ、前記表示画面に前記所定の状態表示を表示させるものである。
【発明の効果】
【０００９】
請求項１の発明によれば、制御部への外部入力信号の入力が途絶えた時、予め設定された所定時間が経過するまで所定の状態表示を表示しないので、外部機器から外部入力信号の入力が一瞬だけ途絶えている間に状態表示が表示画面に表示されることがなく、ユーザに不快感を覚えさせることがなくなる。
【００１０】
請求項２の発明によれば、制御部への外部入力信号の入力が途絶えてから所定時間が経過したとき、所定の状態表示を表示するので、外部機器からの外部入力信号の入力が継続して途絶えているときのみ状態表示を表示させ、ユーザに外部入力信号が途絶えており画像表示を行えない旨を知らせることができる。
【００１１】
請求項３の発明によれば、制御部への外部入力信号の入力が途絶えてから所定時間が経過するまでに認証処理が行われ、認証処理が成功しなければ、所定の状態表示を表示するので、一瞬外部機器からの外部入力信号の入力が途絶えてその後もなお入力が不安定なときには、ユーザに画像表示を行えない旨を知らせることができる。
【発明を実施するための最良の形態】
【００１２】
以下、本発明の一実施形態について図面を参照して説明する。図１は、本実施形態に係るテレビジョン放送受像機（映像表示装置；以下、受像機と称する）を示す。受像機１は、例えば液晶表示パネル又はプラズマ表示パネルである表示画面１１と、表示画面１１を駆動する駆動部１２と、音声を出力可能なスピーカ１３と、受像機１の各部の動作を制御する制御部１４と、外部のアンテナに接続され、このアンテナにより受信されるテレビジョン放送の所望の番組を選局するチューナ１６と、受像機１の筐体外部に露出するように設けられた端子部１７と、外部のリモートコントローラ２から送信された操作信号を受信する受信部１８等で構成されている。受像機１は、制御部１４による制御に基づき、例えばチューナ１６により選局されたテレビジョン放送番組や、後述するような、端子部１７に接続された外部の入力機器から入力される画像・音声等を、表示画面１１やスピーカ１３を介して視聴可能にすることができるように構成されている。端子部１７は、本実施形態において、ＨＤＭＩ（High-Definition Multimedia Interface）規格に対応したＨＤＭＩコネクタを有している。端子部１７は、例えばＤＶＤレコーダ５等の外部機器に、ＨＤＭＩケーブル３を介して接続される。
【００１３】
制御部１４は、例えば、ＣＰＵ、メモリ、画像処理回路、音声処理回路等で構成されている。制御部１４は、例えば、端子部１７に外部機器としてＤＶＤレコーダ５が接続されており、このＤＶＤレコーダ５から映像信号や音声信号を含むＨＤＭＩ信号（外部入力信号）が入力されたとき、そのＨＤＭＩ信号に基づいて駆動部を制御する外部入力表示部（外部入力表示手段）１５ａを有している。また、制御部１４は、現在視聴可能にしているテレビジョン放送局の番号や番組・画像の情報等を表示画面１１上に表示されている画像と共にＯＳＤ（On-Screen Display）表示させる状態表示部（状態表示手段）１５ｂを有している。
【００１４】
本実施形態において、外部入力表示部１５ａは、端子部１７にＤＶＤレコーダ５等の外部機器が接続され、その接続された外部機器からＨＤＭＩ信号が入力されたとき、ＨＤＭＩ規格に基づいてそのＤＶＤレコーダ５等との間で認証処理を行い、その認証が成功してから、ＨＤＭＩ信号に基づく画像等を視聴可能に制御するように構成されている。この認証処理には、通常、例えば２秒程度を要する。状態表示部１５ｂは、ＨＤＭＩ信号に基づく制御が行われる場合、上記認証処理が行われている間や、ＨＤＭＩ信号がＤＶＤレコーダ５等から入力されないときには、表示画面１１に、無信号表示（所定の状態表示）２０を表示させるように構成されている。
【００１５】
図２は、表示画面１１に無信号表示２０が表示された状態の受像機１の一例を示す。無信号表示２０としては、ＨＤＭＩ信号に基づく画像表示や音声出力を行うことができない状態を示すような、例えば「Ｎｏ  Ｓｉｇｎａｌ」といった文字表示等が予め設定されている。この無信号表示２０が表示されることにより、ユーザは、ＤＶＤレコーダ５等の外部機器からＨＤＭＩ信号が入力されていないこと等により画像表示等がなされていない旨を知ることができ、ＤＶＤレコーダ５等の電源を入れてＨＤＭＩ信号を出力させたり、ＤＶＤレコーダ５等の端子部１７への接続を再確認したりして対応することができるように構成されている。
【００１６】
ところで、本実施形態において、状態表示部１５ｂは、ＤＶＤレコーダ５等からＨＤＭＩ信号が入力されている状態において、そのＨＤＭＩ信号の入力が途絶えた時、すぐには無信号表示２０を表示させないように構成されている。以下に、このような場合に制御部１４で行われる制御について、図３を参照して説明する。
【００１７】
先ず、ＨＤＭＩ信号が入力されており、外部入力表示部１５ａにより制御が行われているとき、ＨＤＭＩ信号の入力が継続されていれば、そのＨＤＭＩ信号に基づいて駆動部１２等が制御される（Ｓ１１：ＮＯ）。このとき、ＨＤＭＩ信号の入力が途絶えると（Ｓ１１：ＹＥＳ）、状態表示部１５ｂは、入力が途絶えてから、予め設定された所定時間（例えば１秒程度）が経過するまで、無信号表示２０を表示させない待機状態となる（Ｓ１２：ＮＯ）。所定時間が経過すると（Ｓ１２：ＹＥＳ）、制御部１４は、ＨＤＭＩ信号が再び入力されているか信号チェックを行う（Ｓ１３，Ｓ１４）。ＨＤＭＩ信号が入力されていなければ（Ｓ１４：ＮＯ）、状態表示部１５ｂは、表示画面１１に無信号表示２０のＯＳＤ表示を行い、ユーザにＨＤＭＩ信号の入力がなされず画像表示等を行えない旨を通知する（Ｓ１５）。
【００１８】
他方、信号チェック時にＨＤＭＩ信号が入力されていれば（Ｓ１４：ＹＥＳ）、外部入力表示部１５ａが、認証処理を行う（Ｓ２０）。このとき、継続してＨＤＭＩ信号が入力されており、認証処理が正常に終了し認証成功すれば（Ｓ２１：ＹＥＳ）、状態表示部１５ｂによる無信号表示２０の表示を行うことなく、外部入力表示部１５ａにより、ＨＤＭＩ信号に基づく制御が行われる（Ｓ１１）。認証処理が成功しなかったときには（Ｓ２１：ＮＯ）、ＨＤＭＩ信号に基づく画像表示等を行えないため、状態表示部１５ｂにより無信号表示２０がＯＳＤ表示される（Ｓ２２）。
【００１９】
このように、本実施形態においては、ＤＶＤレコーダ５等の外部機器からのＨＤＭＩ信号の入力が所定時間だけ継続して途絶えているときのみに無信号表示２０を表示し、ＨＤＭＩ信号の入力が一瞬だけ途絶えている間に無信号表示２０が表示画面１１に表示されることがないので、ユーザに不快感を覚えさせることがなくなり、且つ、必要な時にはユーザに無信号表示２０を示すことができる。また、ＨＤＭＩ信号の入力が途絶えてから所定時間が経過するまでに認証処理が行われ、認証処理が成功しなければ、無信号表示２０を表示するので、例えば一瞬だけＤＶＤレコーダ５等の外部機器からのＨＤＭＩ信号の入力が途絶えて、その後もなおＨＤＭＩ信号の入力が不安定なときに、ユーザに画像表示等を行えない旨を知らせることができる。
【００２０】
なお、本発明は、上記実施形態の構成に限定されるものではなく、発明の趣旨を変更しない範囲で適宜に種々の変形が可能である。例えば、受像機は、ＨＤＭＩコネクタの端子部１７だけではなく、他の規格に基づく入力端子等を備えていてもよい。また、ＨＤＭＩ信号が途絶えた時に表示される所定の状態表示としては、無信号表示２０に限られず、アイコン表示等であったりしてもよい。さらにまた、本発明は、テレビジョン放送受像機に限られず、チューナ等を有していない映像表示装置や、スクリーンに画像を投影することにより画像を表示するプロジェクタにも適用可能である。
【図面の簡単な説明】
【００２１】
【図１】本発明の一実施形態に係るテレビジョン放送受像機の一例を示すブロック図。
【図２】上記受像機の無信号表示の表示例を示す斜視図。
【図３】上記受像機の制御部の動作の一例を示すフローチャート。
【符号の説明】
【００２２】
１  テレビジョン放送受像機（映像表示装置）
３  ＨＤＭＩケーブル
５  ＤＶＤレコーダ（外部機器）
１１  表示画面
１２  駆動部
１４  制御部
１５ａ  外部入力表示部（外部入力表示手段）
１５ｂ  状態表示部（状態表示手段）
１７  端子部
２０  無信号表示（所定の状態表示）
【図１】
2008311768.tif 000003
【図２】
2008311768.tif 000004
【図３】
2008311768.tif 000005